(57)【要約】【課題】ＩＮＤＥＸ表示時に動画ファイルの内容を容易に把握できるようにする。【解決手段】記録媒体に記録された画像データを再生する画像再生装置であって、記録媒体に記録されている複数の画像ファイルの内の所定数の画像ファイルの縮小画像を所定の配列形式で一覧表示する機能を有するディスプレイ１４と、ディスプレイに表示されている所定数の画像ファイルの縮小画像のうちから少なくとも１つを選択する選択キー１５と、選択キーにより選択された画像ファイルと、選択されなかった画像ファイルの表示状態を異ならせるようにディスプレイを制御する制御部１１とを具備する。【選択図】　　　図１
2004032535.tif 000002
【特許請求の範囲】
【請求項１】
記録媒体に記録された画像データを再生する画像再生装置であって、
前記記録媒体に記録されている複数の画像ファイルの内の所定数の画像ファイルの縮小画像を所定の配列形式で一覧表示する機能を有する表示手段と、
該表示手段に表示されている所定数の前記画像ファイルの縮小画像のうちから少なくとも１つを選択する選択手段と、
該選択手段により選択された画像ファイルと、選択されなかった画像ファイルの表示状態を異ならせるように前記表示手段を制御する制御手段と、
を具備することを特徴とする画像再生装置。
【請求項２】
前記制御手段は、前記選択された画像ファイルと、前記選択されなかった画像ファイルの再生フレームレートを異ならせるように前記表示手段を制御することを特徴とする請求項１に記載の画像再生装置。
【請求項３】
前記制御手段は、前記選択された画像ファイルの再生フレームレートを前記選択されなかった画像ファイルの再生フレームレートよりも高くすることを特徴とする請求項２に記載の画像再生装置。
【請求項４】
前記制御手段は、前記選択された画像ファイルの縮小画像を動画像として表示し、前記選択されなかった画像ファイルの縮小画像を静止画像として表示することを特徴とする請求項２に記載の画像再生装置。
【請求項５】
前記制御手段は同一の表示画面上に表示すべき前記画像ファイルの数に応じて前記複数の画像ファイルの再生フレームレートを決定することを特徴とする請求項１に記載の画像再生装置。
【請求項６】
記録媒体に記録されている複数の画像ファイルの内の所定数の画像ファイルの縮小画像を所定の配列形式で一覧表示する機能を有する表示手段と、該表示手段に表示されている所定数の前記画像ファイルの縮小画像のうちから少なくとも１つを選択する選択手段とを備える画像再生装置を制御するための画像再生装置の制御方法であって、
前記選択手段により選択された画像ファイルと、選択されなかった画像ファイルの表示状態を異ならせるように前記表示手段を制御することを特徴とする画像再生装置の制御方法。
【請求項７】
前記選択された画像ファイルと、前記選択されなかった画像ファイルの再生フレームレートを異ならせることを特徴とする請求項６に記載の画像再生装置の制御方法。
【請求項８】
請求項６又は７に記載の画像再生装置の制御方法をコンピュータに実行させることを特徴とするプログラム。
【請求項９】
請求項８に記載のプログラムをコンピュータ読み取り可能に記憶したことを特徴とする記憶媒体。
【請求項１０】
動画像を撮像する撮像手段と、
音声を入力する音声入力手段と、
前記動画像の撮像待機状態において前記音声入力手段から入力された副音声と、前記動画像の撮像中に前記音声入力手段から入力された主音声と、前記撮像手段により撮像された動画像とを記録する記録媒体と、
前記記録媒体に記録されている複数の画像ファイルの内の所定数の画像ファイルの縮小画像を所定の配列形式で一覧表示する機能を有する表示手段と、
該表示手段に表示されている所定数の前記画像ファイルの縮小画像のうちから少なくとも１つを選択する選択手段と、
前記記録媒体に記録された音声を再生する音声再生手段と、
前記選択手段により前記少なくとも１つの画像が選択された場合に、該選択された画像ファイルに対応する前記副音声を再生する様に前記音声再生手段を制御する制御手段と、
を具備することを特徴とする画像記録再生装置。
【請求項１１】
前記制御手段は、前記副音声が記録されていない場合に、前記選択された画像ファイルに対応する前記主音声を再生することを特徴とする請求項１０に記載の画像記録再生装置。
【請求項１２】
前記副音声が記録されていない場合に、副音声の記録を促す表示手段をさらに具備することを特徴とする請求項１１に記載の画像記録再生装置。
【請求項１３】
動画像を撮像する撮像手段と、音声を入力する音声入力手段と、前記動画像の撮像待機状態において前記音声入力手段から入力された副音声と、前記動画像の撮像中に前記音声入力手段から入力された主音声と、前記撮像手段により撮像された動画像とを記録する記録媒体と、前記記録媒体に記録されている複数の画像ファイルの内の所定数の画像ファイルの縮小画像を所定の配列形式で一覧表示する機能を有する表示手段と、該表示手段に表示されている所定数の前記画像ファイルの縮小画像のうちから少なくとも１つを選択する選択手段と、前記記録媒体に記録された音声を再生する音声再生手段とを備える画像記録再生装置を制御するための画像記録再生装置の制御方法であって、
前記選択手段により前記少なくとも１つの画像が選択された場合に、該選択された画像ファイルに対応する前記副音声を再生する様に前記音声再生手段を制御することを特徴とする画像記録再生装置の制御方法。
【請求項１４】
前記副音声が記録されていない場合に、前記選択された画像ファイルに対応する前記主音声を再生することを特徴とする請求項１３に記載の画像記録再生装置の制御方法。
【請求項１５】
前記副音声が記録されていない場合に、副音声の記録を促す表示を行うことを特徴とする請求項１４に記載の画像記録再生装置の制御方法。
【請求項１６】
請求項１３乃至１５のいずれか１項に記載の画像記録再生装置の制御方法をコンピュータに実行させることを特徴とするプログラム。
【請求項１７】
請求項１６に記載のプログラムをコンピュータ読み取り可能に記憶したことを特徴とする記憶媒体。
【発明の詳細な説明】
【０００１】
【発明の属する技術分野】
本発明は、画像再生装置又は画像記録再生装置おいて、ランダムアクセス可能で、記録されている画像ファイルの縮小画像を所定の配列で並べた一覧表示を行う機能を有している画像再生装置及び画像記録再生装置に関する。
【０００２】
【従来の技術】
従来、メモリカード、ディスク、その他リムーバブルメディアに対し、静止画ファイルや動画ファイルを混在して記録再生する装置が知られている。この種の装置では、メディアに記録されている内容を確認するために、各ファイルの縮小画像（サムネイル）を所定の配列形式で並べた一覧表示（ＩＮＤＥＸ表示）を行う機能を有するものもある。
【０００３】
【発明が解決しようとする課題】
しかしながら、静止画ファイルの画像内容はサムネイルによって一見して把握可能であるが、動画ファイルの場合は、通常先頭の画像のみがサムネイルとして縮小表示されているに過ぎないため、動画全体の内容を把握するのが困難である。動画ファイルの内容を確認するには、動画ファイルを先頭から再生しなければならず、ファイルの検索に手間がかかる。
【０００４】
従って、本発明は上述した課題に鑑みてなされたものであり、その目的は、ＩＮＤＥＸ表示時に動画ファイルの内容を容易に把握できるようにすることである。
【０００５】
【課題を解決するための手段】
上述した課題を解決し、目的を達成するために、本発明に係わる画像再生装置は、記録媒体に記録された画像データを再生する画像再生装置であって、前記記録媒体に記録されている複数の画像ファイルの内の所定数の画像ファイルの縮小画像を所定の配列形式で一覧表示する機能を有する表示手段と、該表示手段に表示されている所定数の前記画像ファイルの縮小画像のうちから少なくとも１つを選択する選択手段と、該選択手段により選択された画像ファイルと、選択されなかった画像ファイルの表示状態を異ならせるように前記表示手段を制御する制御手段と、を具備することを特徴としている。
【０００６】
また、この発明に係わる画像再生装置において、前記制御手段は、前記選択された画像ファイルと、前記選択されなかった画像ファイルの再生フレームレートを異ならせるように前記表示手段を制御することを特徴としている。
【０００７】
また、この発明に係わる画像再生装置において、前記制御手段は、前記選択された画像ファイルの再生フレームレートを前記選択されなかった画像ファイルの再生フレームレートよりも高くすることを特徴としている。
【０００８】
また、この発明に係わる画像再生装置において、前記制御手段は、前記選択された画像ファイルの縮小画像を動画像として表示し、前記選択されなかった画像ファイルの縮小画像を静止画像として表示することを特徴としている。
【０００９】
また、この発明に係わる画像再生装置において、前記制御手段は同一の表示画面上に表示すべき前記画像ファイルの数に応じて前記複数の画像ファイルの再生フレームレートを決定することを特徴としている。
【００１０】
また、本発明に係わる画像再生装置の制御方法は、記録媒体に記録されている複数の画像ファイルの内の所定数の画像ファイルの縮小画像を所定の配列形式で一覧表示する機能を有する表示手段と、該表示手段に表示されている所定数の前記画像ファイルの縮小画像のうちから少なくとも１つを選択する選択手段とを備える画像再生装置を制御するための画像再生装置の制御方法であって、前記選択手段により選択された画像ファイルと、選択されなかった画像ファイルの表示状態を異ならせるように前記表示手段を制御することを特徴としている。
【００１１】
また、この発明に係わる画像再生装置の制御方法において、前記選択された画像ファイルと、前記選択されなかった画像ファイルの再生フレームレートを異ならせることを特徴としている。
【００１２】
また、本発明に係わるプログラムは、上記の画像再生装置の制御方法をコンピュータに実行させることを特徴としている。
【００１３】
また、本発明に係わる記憶媒体は、上記のプログラムをコンピュータ読み取り可能に記憶したことを特徴としている。
【００１４】
また、本発明に係わる画像記録再生装置は、動画像を撮像する撮像手段と、音声を入力する音声入力手段と、前記動画像の撮像待機状態において前記音声入力手段から入力された副音声と、前記動画像の撮像中に前記音声入力手段から入力された主音声と、前記撮像手段により撮像された動画像とを記録する記録媒体と、前記記録媒体に記録されている複数の画像ファイルの内の所定数の画像ファイルの縮小画像を所定の配列形式で一覧表示する機能を有する表示手段と、該表示手段に表示されている所定数の前記画像ファイルの縮小画像のうちから少なくとも１つを選択する選択手段と、前記記録媒体に記録された音声を再生する音声再生手段と、前記選択手段により前記少なくとも１つの画像が選択された場合に、該選択された画像ファイルに対応する前記副音声を再生する様に前記音声再生手段を制御する制御手段と、を具備することを特徴としている。
【００１５】
また、この発明に係わる画像記録再生装置において、前記制御手段は、前記副音声が記録されていない場合に、前記選択された画像ファイルに対応する前記主音声を再生することを特徴としている。
【００１６】
また、この発明に係わる画像記録再生装置において、前記副音声が記録されていない場合に、副音声の記録を促す表示手段をさらに具備することを特徴としている。
【００１７】
また、本発明に係わる画像記録再生装置の制御方法は、動画像を撮像する撮像手段と、音声を入力する音声入力手段と、前記動画像の撮像待機状態において前記音声入力手段から入力された副音声と、前記動画像の撮像中に前記音声入力手段から入力された主音声と、前記撮像手段により撮像された動画像とを記録する記録媒体と、前記記録媒体に記録されている複数の画像ファイルの内の所定数の画像ファイルの縮小画像を所定の配列形式で一覧表示する機能を有する表示手段と、該表示手段に表示されている所定数の前記画像ファイルの縮小画像のうちから少なくとも１つを選択する選択手段と、前記記録媒体に記録された音声を再生する音声再生手段とを備える画像記録再生装置を制御するための画像記録再生装置の制御方法であって、前記選択手段により前記少なくとも１つの画像が選択された場合に、該選択された画像ファイルに対応する前記副音声を再生する様に前記音声再生手段を制御することを特徴としている。
【００１８】
また、この発明に係わる画像記録再生装置の制御方法において、前記副音声が記録されていない場合に、前記選択された画像ファイルに対応する前記主音声を再生することを特徴としている。
【００１９】
また、この発明に係わる画像記録再生装置の制御方法において、前記副音声が記録されていない場合に、副音声の記録を促す表示を行うことを特徴としている。
【００２０】
また、本発明に係わるプログラムは、上記の画像記録再生装置の制御方法をコンピュータに実行させることを特徴としている。
【００２１】
また、本発明に係わる記憶媒体は、上記のプログラムをコンピュータ読み取り可能に記憶したことを特徴としている。
【００２２】
【発明の実施の形態】
以下、本発明の好適な実施形態について、添付図面を参照して詳細に説明する。
【００２３】
（第１の実施形態）
図１は本発明の第１の実施形態に係る画像再生装置を示す概略構成ブロック図、図２は第１の実施形態におけるＩＮＤＥＸ動画再生のイメージ図である。図３は、第１の実施形態におけるＩＮＤＥＸ動画再生方法を実行するシステムコントローラ１１の動作フローチャートである。図４は、図３におけるＩＮＤＥＸ動画再生方法のイメージ図である。図５は、第１の実施形態のＩＮＤＥＸ動画再生における画像選択時のイメージ図である。図６は、図５におけるＩＮＤＥＸ動画再生における画像選択時のシステムコントローラ１１の動作フローチャートである。
【００２４】
図１において、１１は画像再生装置全体を制御するシステムコントローラ、１２は画像のサイズを縮小、拡大するリサイズ部、１３は圧縮された画像データを伸張するデコーダ部、１４は液晶モニタなどの画像を表示するディスプレイ、１５は使用者とのインタフェースとなる操作キー、１６はリサイズ部１２、デコーダ部１３で処理された画像データを記録、保持しておく画像メモリ、１７は記録媒体とのインタフェース（Ｉ／Ｆ）、１８はディスクなどランダムアクセス可能な記録媒体である。
【００２５】
通常の再生は、記録媒体１８からＩ／Ｆ部１７がデータを読み取り、デコーダ１３が復号伸張を行い、画像メモリ１６に展開する。展開した画像データを画像リサイズ部１２が読み取り拡大、または縮小してディスプレイ１４に表示する。
図２は、本発明の第１の実施形態に係るＩＮＤＥＸ動画再生を示すイメージ図である。
【００２６】
図２において、２−１はディスプレイ１４に６個のＩＮＤＥＸ動画の同時再生を行う場合のイメージ図である。同時に再生する６個の動画ファイルの通常再生時におけるフレームレート（単位時間当たりに更新する画面数）をＴとすると、ＩＮＤＥＸ動画再生時はフレームレートをＴ／６にして、６個の動画ファイルそれぞれについて本画像の間引き再生を行い、リサイズ部１２で縮小を行った画像を６画面同時に再生表示する。フレームレートがＴ／６なので画像再生装置のデコーダ１３への負荷は通常再生時と同等になっている。
【００２７】
２−２は、ディスプレイ１４に９個の動画ファイルの同時再生を行う場合のイメージ図である。同時に再生する９個の動画ファイルの通常再生時におけるフレームレートをＴとすると、ＩＮＤＥＸ動画再生時はフレームレートをＴ／９にして、９個の動画ファイルそれぞれについて本画像の間引き再生を行い、リサイズ部１２で縮小を行った画像を９画面同時に再生表示する。２−１の場合と同様に、フレームレートがＴ／９なので画像再生装置のデコーダ１３への負荷は通常再生時と同等になっている。
【００２８】
２−３　は、ディスプレイ１４に９個の画像ファイルの表示を行う場合のイメージ図である。表示する９個の画像ファイルの中に動画ファイルが３個、静止画ファイルが６個含まれる場合には、３個の動画ファイルの通常再生時におけるフレームレートをＴとすると、ＩＮＤＥＸ動画再生時はフレームレートをＴ／３にして３個の動画ファイルそれぞれについて本画像の間引き再生を行い、リサイズ部１２で縮小を行った画像を３画面同時に再生表示する。静止画ファイルは始めに表示した画像をＩＮＤＥＸ動画再生時にも表示し続ける。静止画のデコード処理は始めの表示のみで、動画ファイルのフレームレートはＴ／３なので画像再生装置のデコーダ１３の負荷は通常再生時と同等になっている。
【００２９】
以上のようにＩＮＤＥＸ動画再生時は、ディスプレイ１４に表示する動画ファイルの個数に応じてフレームレートを変更することで、画像再生装置のデコーダ１３の負荷は同等で複数の動画ファイルを再生することができる。
【００３０】
なお、ここで、画像再生装置の基本的な動作について説明しておく。
【００３１】
まず、記録済みの記録媒体を画像再生装置にセットして再生を開始すると、インデックス一覧表示に移行し、図２に示すようにインデックス画像がディスプレイ上に表示される。この状態では、画面上でカーソルが移動可能になり、表示されているインデックス画像の任意の一つを選択することができる。そしてカーソルで画像を選択した後に例えば決定キーなどを操作することにより、そのとき選択されている画像ファイルのみを再生することができる。
【００３２】
図３は、第１の実施形態のＩＮＤＥＸ動画再生方法を実行するシステムコントローラ１１の動作フローチャートである。
【００３３】
図３において、動画ファイルの通常再生時におけるフレームレートをＴ、ＩＮＤＥＸ動画再生時におけるフレームレートをＴｉとする。ディスプレイ１４に同時に再生したい動画ファイルの個数をＮとすると、Ｔｉ　＝　Ｔ／Ｎ　である。ＩＮＤＥＸ動画再生する動画ファイルの番号をｎ（Ｎ　≧　ｎ）、間引きフレームレートをｔ［ｎ］とする。
【００３４】
まず、ｎを１にリセットする（ステップＳ３００）。システムコントローラ１１はｎ番目の動画ファイルから、Ｉピクチャだけを再生した場合のフレームレートＴ１を算出し、ｔ［ｎ］にＴ１を代入する（ステップＳ３０１）。ステップＳ３０１で算出されたＴ１がＴｉ≧ｔ［ｎ］を成立させるか判断する（ステップＳ３０２）。ＮｏならばＩピクチャだけのフレームレートｔ［ｎ］からさらにＩピクチャを間引いたフレームレートＴ２（Ｔ２＝ｔ／２）を算出し、ｔ［ｎ］にＴ２を代入する（ステップＳ３０３）。ステップＳ３０３で算出されたフレームレートＴ２がＴｉ≧Ｔ［ｎ］　を成立させるか判断する（ステップＳ３０４）。ＮｏならばステップＳ３０３に戻り、再度間引いたフレームレートＴ２を算出する。ステップＳ３０２またはステップＳ３０４でＹｅｓならばｎにｎ＋１を代入する（ステップＳ３０５）。ｎ＞Ｎか判断する（ステップＳ３０６）。ＮｏならばステップＳ３０１にもどる。ＹｅｓならばＮ個の動画ファイルをフレームレートｔ［ｎ］（１番目の動画ファイルはＴ［１］）で間引いた画像再生を行い、リサイズ部１２で縮小した画像をフレームレートＴｉでディスプレイ１４に表示する（ステップＳ３０７）。
【００３５】
以上のような動作を行うことで、ＩＮＤＥＸ動画再生を行う。
【００３６】
図４は、図３におけるＩＮＤＥＸ動画再生方法のイメージ図である。
【００３７】
図４において、通常再生時のフレームレートをＴ、同時再生したい動画ファイルの個数Ｎを６とするとＩＮＤＥＸ動画再生時のフレームレートＴｉ＝Ｔ／６となる。ｎは処理を行っているファイルの番号であり、間引き再生フレームレートｔ［ｎ］がそれぞれ対応している。
【００３８】
４−１は通常再生時の再生方法のイメージ図であり、Ｉピクチャ、Ｂピクチャ、Ｐピクチャを再生する。まず、４−１の通常再生からＩピクチャだけを再生した場合のフレームレートを考えると４−２のようになり、このときのフレームレートｔ［ｎ］はＴ／４になっている。Ｔｉ≧ｔ［ｎ］が成立しないのでさらに４−２から１／２に間引いた場合を考えると４−３のようになる。４−３でのフレームレートｔ［ｎ］はＴ／８となり、Ｔｉ≧ｔ［ｎ］が成立するのでこの動画ファイルはＴ２を使った間引き再生方法で再生を行うようにする。以上のような処理をＮ（Ｎ＝６）個のファイルごとに行う。
【００３９】
Ｎ個のファイル分間引き再生フレームレートｔ［ｎ］が決まったら、ＩＮＤＥＸ動画再生を行う。このときのイメージ図が４−４であり、４−３で算出したｔ［ｎ］を使って間引いて再生し、リサイズ部１２で縮小した画像をフレームレートＴｉで表示する。
【００４０】
図５は、第１の実施形態のＩＮＤＥＸ動画再生における画像選択時の例を示すイメージ図である。
【００４１】
ＩＮＤＥＸ動画再生時に選択されているファイル（カーソルが指しているファイル）を、他の選択されていないファイル（カーソルが指していないファイル）よりも間引き再生フレームレートを上げるようにする。例えば図５のようにＩＮＤＥＸの動画ファイルの表示個数が６個とすると、選択されている動画ファイルは間引き再生フレームレートをＴ／２、選択されていない動画ファイルはＴ／（２×表示個数６）　＝　Ｔ／１２としてＩＮＤＥＸ動画再生を行う。
【００４２】
図６は、図５に示すＩＮＤＥＸ動画再生における画像選択時のシステムコントローラ１１の動作フローチャートである。
【００４３】
図６において、動画ファイルの通常再生時におけるフレームレートをＴ、ＩＮＤＥＸ動画再生時のフレームレートをＴｉとする。ディスプレイ１４に同時再生したい動画ファイルの個数をＮとする。ＩＮＤＥＸ動画再生する動画ファイルの番号をｎ（Ｎ　≧　ｎ）、間引きフレームレートをｔ［ｎ］とする。
【００４４】
まず、ｎを１にリセットする（ステップＳ６００）。システムコントローラ１１はｎ番目のファイルが現在選択されているか判断する（ステップＳ６００）。ＹｅｓならばＴｉにＴ／２を代入する（ステップＳ６０２）。ＮｏならばＴｉにＴ／（２×Ｎ）を代入する（ステップＳ６０２）。システムコントローラ１１はｎ番目の動画ファイルから、Ｉピクチャだけを再生した場合のフレームレートＴ１を算出し、ｔ［ｎ］にＴ１を代入する（ステップＳ６０４）。ステップＳ１で算出されたＴ１がＴｉ≧ｔ［ｎ］　　を成立させるか判断する（ステップＳ６０５）。ＮｏならばＩピクチャだけのフレームレートｔ［ｎ］からさらにＩピクチャを間引いたフレームレートＴ２（Ｔ２＝ｔ／２）を算出し、ｔ［ｎ］にＴ２を代入する（ステップＳ６０６）。ステップＳ３で算出されたフレームレートＴ２がＴｉ≧ｔ［ｎ］　を成立させるか判断する（ステップＳ６０７）。ＮｏならばステップＳ６０６に戻り、再度間引いたフレームレートＴ２を算出する。ステップＳ６０５またはステップＳ６０７でＹｅｓならばｎにｎ＋１を代入する（ステップＳ６０８）。ｎ＞Ｎか判断する（ステップＳ６０９）。ＮｏならばステップＳ６０１にもどる。ＹｅｓならばＮ個の動画ファイルをフレームレートｔ［ｎ］（１番目の動画ファイルはＴ［１］）で間引いた画像再生を行い、選択されているファイルはフレームレートＴ／２、選択されていないファイルはフレームレートＴ／（２×Ｎ）で、リサイズ部１２で縮小した画像をディスプレイ１４に表示する（ステップＳ６１０）。
【００４５】
以上のような動作を行うことで、ＩＮＤＥＸ動画再生時に選択されているファイルの再生フレームレートを上げる。
【００４６】
（第２の実施形態）
上記の第１の実施形態では、画面に表示する動画ファイルの個数によってＩＮＤＥＸ動画再生フレームレートを決定したが、静止画、動画が混在するような場合には表示する画像ファイル（静止画、動画を合わせたファイル）の個数に応じてＩＮＤＥＸ動画再生フレームレートを決定してもよい。
【００４７】
（第３の実施形態）
上記の第１の実施形態では、選択された動画ファイルをフレームレートを上げて再生し、選択されていない動画ファイルはフレームレートを落として再生するようにしたが、選択されていない動画ファイルは、代表画像のみを静止画で表示し、選択された動画ファイルのみを動画で表示するようにしてもよい。
【００４８】
以上説明したように、上記の第１乃至第３の実施形態によれば、算出されたフレームレートを用いて間引き再生した動画ファイルを、同時に複数再生表示するＩＮＤＥＸ動画再生が実現でき、複数の動画ファイルの内容を同時に把握することができる。また、選択されている動画ファイルのフレームレートを、選択されていない動画ファイルよりも上げることで、選択されているファイルに記録されている画像の内容を詳細に把握することができる。
【００４９】
（第４の実施形態）
この第４の実施形態は、第１の実施形態と同様の画像のＩＮＤＥＸ表示を行いつつ、音声も同時に出力可能にしたものである。また、画像及び音声の再生機能のみではなく、記録機能も併せ持っている。なお、本実施形態においては、ＩＮＤＥＸ表示される画像は全て静止画でもよい。
【００５０】
図７は、第４の実施形態の再生部分の構成を示したブロック図であり、図１に示す第１の実施形態の構成に音声再生部２００を付加している。
【００５１】
図８は、本発明の第４の実施形態に係わる動画音声記録再生装置のブロック図であり、再生部分は、図７に示す構成をより詳しく示している。
【００５２】
図８において、１０１は映像を電気信号に変換する撮像装置であり、１０２は音声を電気信号に変換するマイクであり、１０３は撮像装置１０１から出力される画像信号を記録するために所定のフォーマットに変換する記録画像処理回路であり、１０４は音声信号を一定時間分一時記憶する音声バッファであり、１０５は副音声信号を記録するために所定のフォーマットに変換する記録副音声処理回路であり、１０６は主音声信号を記録するために所定のフォーマットに変換する記録主音声処理回路であり、１０７はマイク１０２から出力される音声信号を音声バッファ１０４と記録主音声処理回路１０６とに選択して出力するスイッチであり、１０８は記録画像処理回路１０３が出力する記録画像信号と記録副音声処理回路１０５が出力する副音声信号と記録主音声処理回路１０６が出力する主音声信号とを多重化する画像音声多重化回路であり、１０９は画像音声多重化回路１０８が出力する記録信号を記録媒体１１０へ記録する記録装置であり、１１１は記録媒体１１０から再生信号を再生する再生装置であり、１１２は再生装置１１１が出力する再生信号を画像信号と主音声信号と副音声信号に分離する画像音声分離回路であり、１１３は画像音声分離回路１１２が出力する主音声信号を処理する再生主音声処理回路であり、１１４は画像音声分離回路１１２が出力する副音声信号を処理する再生副音声処理回路であり、１１５は画像音声分離回路１１２が出力する画像信号を処理する再生画像信号処理回路であり、１１６は再生主音声処理回路１１３が出力する主音声信号と再生副音声処理回路１１４が出力する副音声信号とを選択して出力するスイッチであり、１１７はスイッチ１１６が出力する音声信号を出力するスピーカであり、１１８は再生画像信号処理回路１１５が出力する画像信号を出力するモニタであり、１１９は各機能回路を制御するシステムコントローラである。
【００５３】
以下に、第４の実施形態の動作について説明する。
【００５４】
（記録時）
動画音声記録再生装置がユーザによって操作され記録モードに設定されると、記録待機状態となり、スイッチ１０７はマイク１０２から出力される音声信号を音声バッファ１０４へ出力するようにシステムコントローラ１１９により切り替えられる。音声バッファ１０４は常に新しい音声信号で更新されて最新の音声信号を一定時間分記憶している。ユーザは、記録開始前に、これから撮る画像についての説明などの音声を副音声としてこのバッファ１０４に記憶させる。
【００５５】
ユーザの操作により記録開始すると、スイッチ１０７はマイク１０２から出力される音声信号を記憶主音声処理回路１０６へ出力するようにシステムコントローラ１１９により切り替えられる。また同時に音声バッファ１０４の音声信号の更新を停止する。音声バッファ１０４に記憶されている音声信号は記録副音声処理回路１０５により所定のフォーマットに変換されて画像音声多重化回路１０８へ副音声信号として出力される。また、マイク１０２から出力される音声信号は記録主音声処理回路１０６により所定のフォーマットに変換されて画像音声多重化回路１０８へ主音声信号として出力される。また、撮像装置１０１から出力される画像信号は記録画像処理回路１０３により所定のフォーマットに変換されて画像信号として画像音声多重化回路１０８へ出力される。画像音声多重化回路１０８は上記画像信号と上記主音声信号と上記副音声信号とを多重化して記録装置１０９に出力し、記録装置１０９は上記多重化信号を記録媒体１１０へ記録する。
【００５６】
音声バッファ１０４に記憶されている一定時間分の記録が終了すると、副音声信号の記録は停止し、画像信号と主音声信号とを記録媒体１１０へ記録する。
【００５７】
（再生時）
動画音声記録再生装置がユーザによって操作され再生モードに設定されると、再生装置１１１は記録媒体１１０から記録されている複数シーンの最初のフレーム信号を再生し、画像音声分離回路１１２へ出力する。画像音声分離回路１１２は再生装置１１１が出力する再生信号を画像信号と主音声信号と副音声信号とに分離する。再生画像処理回路１１５は画像音声分離回路１１２が出力する画像信号を処理し、前述のようにＩＮＤＥＸ画面を示す画像データを生成してモニタ１１８へ出力する。例えば図９のようなシーン選択一覧画面が表示される。
【００５８】
ユーザの操作により上記複数シーンの一覧表示のうちいずれか一シーンが選択されると、上記選択されたシーンの信号を再生装置１１１が再生し、再生副音声処理回路１１４は画像音声分離回路１１２が出力する副音声信号を処理し、再生可能な音声信号に変換する。スイッチ１１６は再生副音声処理回路１１４からの出力をスピーカ１１７へ出力するようにシステムコントローラ１１９により切り替えられ、スピーカ１１７からは、上記再生副音声処理回路１１４から出力される再生可能な音声信号が出力される。
【００５９】
また、上記ユーザにより選択されたシーンに副音声信号が記録されていない場合は、画像音声分離回路１１２が副音声信号が記録されていないことを検出し、システムコントローラ１１９へ通知する。システムコントローラ１１９は、選択されたシーンに副音声信号が記録されていない通知を受けると、スイッチ１１６を再生主音声処理回路からの出力をスピーカ１１７へ出力するように切り替える。再生主音声処理回路１１３は画像音声分離回路１１２が出力する主音声信号を処理し再生可能な音声信号に変換し、スイッチ１１６は上述のように再生主音声処理回路からの出力をスピーカ１１７へ出力するように切り替えられているため、上記選択されたシーンの主音声信号がスピーカ１１７から出力される。さらに、上記ユーザにより選択されたシーンに副音声信号が記録されていない場合は、ユーザに対して、一覧表示の選択時に出力される副音声信号の記録を促すための画面表示を行う。
【００６０】
以上説明したように上記の第４の実施形態によれば、煩雑な操作を必要とせず、かつ、複数シーンが記録されている記録媒体の中から、所望のシーンを容易に選択することができる、動画音声記録再生装置を提供することが可能となる。
【００６１】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００６２】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６４】
本発明を上記記憶媒体に適用する場合、その記憶媒体には、先に説明したフローチャートに対応するプログラムコードが格納されることになる。
【００６５】
【発明の効果】
以上説明したように、本発明によれば、ＩＮＤＥＸ表示時に動画ファイルの内容を容易に把握できるようにすることが可能となる。
【図面の簡単な説明】
【図１】本発明の第１の実施形態に係る画像再生装置の概略構成ブロック図である。
【図２】ＩＮＤＥＸ動画再生の例を示すイメージ図である。
【図３】第１の実施形態のＩＮＤＥＸ動画再生方法を実行するシステムコントローラの動作フローチャートである。
【図４】第１の実施形態のＩＮＤＥＸ動画再生方法のイメージ図である。
【図５】ＩＮＤＥＸ動画再生における画像選択時の例を示すイメージ図である。
【図６】ＩＮＤＥＸ動画再生における画像選択時のシステムコントローラの動作フローチャートである。
【図７】第４の実施形態の再生部分の構成を示したブロック図である。
【図８】第４の実施形態に係わる動画音声記録再生装置のブロック図である。
【図９】複数シーン一覧表示の例を示す図である。
【符号の説明】
１１　システムコントローラ
１２　画像リサイズ部
１３　デコーダ部
１４　ディスプレイ
１５　操作キー
１６　画像メモリ
１７　記録媒体とのインタフェース部
１８　記録媒体
１０１　撮像装置
１０２　マイク
１０３　記録画像処理回路
１０４　音声バッファ
１０５　記録副音声処理回路
１０６　記録主音声処理回路
１０７　スイッチ
１０８　画像音声多重化回路
１０９　記録装置
１１０　記録媒体
１１１　再生装置
１１２　画像音声分離回路
１１３　再生主音声処理回路
１１４　再生副音声処理回路
１１５　再生画像信号処理回路
１１６　スイッチ
１１７　スピーカ
１１８　モニタ
１１９　システムコントローラ
【図１】
2004032535.tif 000003
【図２】
2004032535.tif 000004
【図３】
2004032535.tif 000005
【図４】
2004032535.tif 000006
【図５】
2004032535.tif 000007
【図６】
2004032535.tif 000008
【図７】
2004032535.tif 000009
【図８】
2004032535.tif 000010
【図９】
2004032535.tif 000011